【手続補正書】
【提出日】平成29年5月30日(2017.5.30)
【手続補正１】
【補正対象書類名】明細書
【補正対象項目名】０００６
【補正方法】変更
【補正の内容】
【０００６】
上述した課題を解決するために本発明の画像表示装置は、
文字を含む画像を拡大して表示手段に表示する画像表示装置において、
前記表示手段に表示する文字の量を指定する指定手段と、
前記画像に含まれる文字の状態を特定する特定手段と、
前記指定手段により指定されている文字の量と、前記特定手段によって特定された文字の状態とに基づいて、前記画像を、前記表示手段の表示領域に応じた大きさに拡大して前記表示手段に表示する制御を行う表示制御手段と、
を備えることを特徴とする。
【手続補正２】
【補正対象書類名】明細書
【補正対象項目名】０００７
【補正方法】変更
【補正の内容】
【０００７】
上述した課題を解決するために本発明の他の画像表示装置は、
撮像手段によって撮像された対象物の画像を拡大して表示手段に表示する画像表示装置において、
当該画像表示装置の移動によって前記対象物に対して逐次変化する位置関係に基づいて、前記撮像手段により撮像された画像を拡大して前記表示手段に表示する際の補正する量を逐次制御する補正制御手段と、
前記補正制御手段により逐次制御される補正する量に基づいて、前記撮像手段により撮像された画像を逐次拡大して前記表示手段に逐次表示する制御を行う表示制御手段と、
を備えることを特徴とする。
【手続補正３】
【補正対象書類名】明細書
【補正対象項目名】００４４
【補正方法】変更
【補正の内容】
【００４４】
制御部１は、カメラ本体の移動によって対象物に対して逐次変化する位置関係に基づいて、撮像部６により撮像された画像を補正する量を逐次制御し、この補正する量に基づいて、その画像を逐次補正してモニタ画面に逐次表示させるようにしたので、カメラ本体の移動中に対象物との位置関係が変化したとしてもそれに追従して、リアルタイムに画像を補正することができ、ユーザにとって視認し易い（読み易い）画像（文字）を表示させることができる。
【手続補正４】
【補正対象書類名】明細書
【補正対象項目名】００５８
【補正方法】変更
【補正の内容】
【００５８】
制御部１は、カメラ本体の移動によって対象物に対して逐次変化する位置関係（対象物までの距離）に基づいて、撮像部６により撮像された画像を補正する量（文字の量）を逐次制御し、この補正する量（文字の量）に基づいて、その画像を逐次補正してモニタ画面に逐次表示するようにしたので、カメラ本体の移動中に対象物までの距離が変化したとしてもそれに応じて画像の拡大表示をリアルタイムに制御することができる。
【手続補正５】
【補正対象書類名】特許請求の範囲
【補正対象項目名】全文
【補正方法】変更
【補正の内容】
【特許請求の範囲】
【請求項１】
文字を含む画像を拡大して表示手段に表示する画像表示装置において、
前記表示手段に表示する文字の量を指定する指定手段と、
前記画像に含まれる文字の状態を特定する特定手段と、
前記指定手段により指定されている文字の量と、前記特定手段によって特定された文字の状態とに基づいて、前記画像を、前記表示手段の表示領域に応じた大きさに拡大して前記表示手段に表示する制御を行う表示制御手段と、
を備えることを特徴とする画像表示装置。
【請求項２】
前記表示制御手段は、前記画像の中から、前記指定されている文字の量に該当する部分を拡大して前記表示手段に表示する制御を行う、
ことを特徴とする請求項１に記載の画像表示装置
【請求項３】
前記特定手段は、前記画像に含まれる個々の文字に対して、少なくとも文字の区切り、文字の大きさ、文字の位置関係のいずれかに基づいて前記画像に含まれる文字の状態を特定する、
ことを特徴とする請求項１又は請求項２に記載の画像表示装置。
【請求項４】
前記特定手段は、前記画像に含まれる個々の文字に対してその変形量を更に特定し、
前記表示制御手段は、前記特定手段によって特定された前記文字の変形量に基づいて、前記画像を補正する、
ことを特徴とする請求項１〜請求項３のいずれか１項に記載の画像表示装置。
【請求項５】
前記文字を含む対象物を撮像する撮像手段を更に備え、
前記特定手段は、前記撮像手段により撮像された画像を、前記文字を含む画像としてその文字の状態を特定する、
ことを特徴とする請求項１〜請求項４のいずれか１項に記載の画像表示装置。
【請求項６】
前記表示制御手段は、前記撮像手段から前記対象物までの距離によらず、前記指定されている文字の量に基づいて、前記拡大表示の制御を行う、
ことを特徴とする請求項５に記載の画像表示装置。
【請求項７】
前記撮像手段から前記対象物までの距離を取得する取得手段と、
前記撮像手段から前記対象物までの距離を複数段階に区分すると共に、この複数段階に対応付けて文字の量を記憶する記憶手段と、
を備え、
前記指定手段は、前記取得手段によって取得された距離に対応して前記記憶手段に記憶されている段階の文字の量を、前記表示手段に表示する文字の量として指定する、
ことを特徴とする請求項５に記載の画像表示装置。
【請求項８】
前記撮像手段の備えるズーム機能により指定される画角を取得する取得手段と、
前記画角を複数段階に区分すると共に、この複数段階に対応付けて文字の量を記憶する記憶手段と、
を備え、
前記指定手段は、前記取得手段によって取得された画角に対応して前記記憶手段に記憶されている段階の文字の量を、前記表示手段に表示する文字の量として指定する、
ことを特徴とする請求項５に記載の画像表示装置。
【請求項９】
前記指定手段は、ユーザ操作に応じて、前記表示手段に表示される際の文字の桁数、文字の行数のうち、少なくともそのいずれかを、前記表示手段に表示する文字の量として指定する、
ことを特徴とする請求項１〜請求項６のいずれか１項に記載の画像表示装置。
【請求項１０】
前記表示制御手段は、前記画像に含まれる文字の表示が途中で切れないように、前記表示手段の表示領域の大きさに合せて、前記表示手段に表示される文字の桁間、行間のうち、少なくともそのいずれかを補正する、
ことを特徴とする請求項９に記載の画像表示装置。
【請求項１１】
撮像手段によって撮像された対象物の画像を拡大して表示手段に表示する画像表示装置において、
当該画像表示装置の移動によって前記対象物に対して逐次変化する位置関係に基づいて、前記撮像手段により撮像された画像を拡大して前記表示手段に表示する際の補正する量を逐次制御する補正制御手段と、
前記補正制御手段により逐次制御される補正する量に基づいて、前記撮像手段により撮像された画像を逐次拡大して前記表示手段に逐次表示する制御を行う表示制御手段と、
を備えることを特徴とする画像表示装置。
【請求項１２】
前記対象物に対する前記撮像手段の光軸方向の角度を検出する検出手段を更に備え、
前記補正制御手段は、前記検出手段によって検出された角度に基づいて、前記補正する量を逐次制御する、
ようにしたことを特徴とする請求項１１に記載の画像表示装置。
【請求項１３】
前記撮像手段から前記対象物までの距離を検出する検出手段を更に備え、
前記補正制御手段は、前記検出手段によって検出された距離に基づいて、前記補正する量を逐次制御する、
ようにしたことを特徴とする請求項１１又は請求項１２に記載の画像表示装置。
【請求項１４】
前記対象物は、文字を含み、
前記制御手段は、前記検出手段によって検出された距離と指定された文字の量に基づいて、前記補正する量を逐次制御する、
ようにしたことを特徴とする請求項１３に記載の画像表示装置。
【請求項１５】
文字を含む画像を拡大して表示手段に表示する画像表示装置における画像表示方法であって、
前記表示手段に表示する文字の量を指定する処理と、
前記画像に含まれる文字の状態を特定する処理と、
前記指定されている文字の量と、前記特定された文字の状態に基づいて、前記画像を、前記表示手段の表示領域に応じた大きさに拡大して前記表示手段に表示する制御を行う処理と、
を含むことを特徴とする画像表示方法。
【請求項１６】
文字を含む画像を拡大して表示手段に表示する画像表示装置のコンピュータに対して、
前記表示手段に表示する文字の量を指定する機能と、
前記画像に含まれる文字の状態を特定する機能と、
前記指定されている文字の量と、前記特定された文字の状態に基づいて、前記画像を、前記表示手段の表示領域に応じた大きさに拡大して前記表示手段に表示する制御を行う機能と、
を実現させるためのプログラム。
【請求項１７】
撮像手段によって撮像された対象物の画像を拡大して表示手段に表示する画像表示装置における画像表示方法であって、
当該画像表示装置の移動によって前記対象物に対して逐次変化する位置関係に基づいて、前記撮像手段により撮像された画像を拡大して前記表示手段に表示する際の補正する量を逐次制御する処理と、
前記逐次制御される補正する量に基づいて、前記撮像手段により撮像された画像を逐次拡大して前記表示手段に逐次表示する制御を行う処理と、
を含むことを特徴とする画像表示方法。
【請求項１８】
撮像手段によって撮像された対象物の画像を拡大して表示手段に表示する画像表示装置のコンピュータに対して、
当該画像表示装置の移動によって前記対象物に対して逐次変化する位置関係に基づいて、前記撮像手段により撮像された画像を拡大して前記表示手段に表示する際の補正する量を逐次制御する機能と、
前記逐次制御される補正する量に基づいて、前記撮像手段により撮像された画像を逐次拡大して前記表示手段に逐次表示する制御を行う機能と、
を実現させるためのプログラム。